(57)【要約】【課題】長期間換気装置を運転しても換気グリルのフィルターの目詰まりしにくくすることができることを目的とする。【解決手段】フィルター保持部８は内面に複数の凸部７を有し、フィルターフレーム１１は外周に凹部１２を有した外周枠１３を設けたという構成にしたことにより、フィルターフレーム１１の外周の凹部１２とフィルター保持部８の内面の凸部７と勘合するので、長期間換気装置を運転してもフィルター９を目詰まりしにくくすることができる換気グリルを得られる。【選択図】図１
2015113988.tif 000002
【特許請求の範囲】
【請求項１】
給気または排気の通風路を形成する通風管に装着される筒部と、壁に沿って外方に向かい突出するフランジ部と、フィルターを保持するためのフィルター保持部とを有する本体と、フィルター網とフィルター網を保持するフィルターフレームを有するフィルターとで構成される換気グリルであって、前記フィルター保持部は内面に複数の凸部を有し、前記フィルターフレームは外周に凹部を有した外周枠を設けたことを特徴とする換気グリル。
【請求項２】
前記外周枠の前記凹部より根元側に穴を設けたことを特徴とする請求項１に記載の換気グリル。
【請求項３】
前記外周枠に複数のスリットを設けたことを特徴とする請求項１または２に記載の換気グリル。
【請求項４】
前記フィルター保持部より前記通風管側に前記凸部よりも中心側に長いフィルター止め凸部を設けたことを特徴とする請求項１に記載の換気グリル。
【請求項５】
前記フィルターフレームに室内側に突出する取っ手部を設け、前記取っ手部は向かい合った板で前記板の両端に近づくほど互いの距離が離れる曲面形状であることを特徴とする請求項１に記載の換気グリル。
【請求項６】
前記室内側の前記フィルターフレームを十字形状とすることを特徴とする請求項１、５のいずれかに記載の換気グリル。
【請求項７】
前記フランジ部から前記凸部までの距離と前記凹部から前記フィルター網までの距離がほぼ等しいことを特徴とする請求項１、２、４のいずれかに記載の換気グリル。
【請求項８】
前記フィルターおよび前記フィルター保持部とが円形状であることを特徴とする請求項１または４に記載の換気グリル。
【請求項９】
前記本体の内部に螺旋状に凸部を設け、前記凹部を螺旋形状の設けたことを特徴とする請求項１、２、４、７のいずれかに記載の換気グリル。
【発明の詳細な説明】
【技術分野】
【０００１】
本発明は、換気装置の給気口または排気口に使用される換気グリルに関するものである。
【背景技術】
【０００２】
従来、この種の換気グリルは、使用者により掃除されるものが知られている（例えば、特許文献１参照）。
【０００３】
以下、その換気グリルについて図７を参照しながら説明する。
【０００４】
図７に示すように、大径の筒状部１０１は小径の筒状部１０２により形成された換気装置の本体１０３の小径の筒状部１０２内にねじり部１０５の回動により上下移動する風量調節部１０６を設け、ねじ部１０７を回動する回転体１０８につまみ１０９を着脱自在に設けることにより、掃除時につまみ１０９を取り外し、つまみ１０９およびつまみ１０９近傍の掃除を容易にすることができる。
【先行技術文献】
【特許文献】
【０００５】
【特許文献１】特開平１０−２２０８５７号公報
【発明の概要】
【発明が解決しようとする課題】
【０００６】
このような従来の換気グリルにおいては、長期間換気装置を運転していると徐々に運転の騒音が大きくなることがありその原因の１つとして換気グリルのフィルターが塵や埃等により目詰まりする、という課題を有していた。
【０００７】
そこで本発明は、上記従来の課題を解決するものであり、長期間換気装置を運転しても換気グリルのフィルターの目詰まりしにくくすることができる換気グリルを提供することを目的とする。
【課題を解決するための手段】
【０００８】
そして、この目的を達成するために、本発明は、給気または排気の通風路を形成する通風管に装着される筒部と、壁に沿って外方に向かい突出するフランジ部と、フィルターを保持するためのフィルター保持部とを有する本体と、フィルター網とフィルター網を保持するフィルターフレームを有するフィルターとで構成される換気グリルであって、前記フィルター保持部は内面に複数の凸部を有し、前記フィルターフレームは外周に凹部を有した外周枠を設けたこととしたものであり、これにより所期の目的を達成するものである。
【発明の効果】
【０００９】
本発明によれば、給気または排気の通風路を形成する通風管に装着される筒部と、壁に沿って外方に向かい突出するフランジ部と、フィルターを保持するためのフィルター保持部とを有する本体と、フィルター網とフィルター網を保持するフィルターフレームを有するフィルターとで構成される換気グリルであって、前記フィルター保持部は内面に複数の凸部を有し、前記フィルターフレームは外周に凹部を有した外周枠を設けた、という構成にしたことにより、フィルターフレームの外周の凹部とフィルター保持部の内面の凸部と勘合することとなるので、フィルターを保持する構造を風路に設けなくても良いので、フィルターの面積を広くすることができ、長期間換気装置を運転しても換気グリルのフィルターの目詰まりしにくくすることができる、という効果を得ることができる。
【図面の簡単な説明】
【００１０】
【図１】本発明の実施の形態１の換気グリルの本体とフィルターとを外した状態を示す斜視図
【図２】同換気グリルの施工状態を表す側面断面図
【図３】同換気グリルのフィルターを示す斜視図
【図４】同換気グリルのフィルターを示す側面図
【図５】同換気グリルの本体を示す斜視図
【図６】同換気グリルのフィルターを示す斜視図
【図７】同従来の換気グリルを示す正面断面図
【発明を実施するための形態】
【００１１】
本発明の請求項１記載の換気グリルは、給気または排気の通風路を形成する通風管に装着される筒部と、壁に沿って外方に向かい突出するフランジ部と、フィルターを保持するためのフィルター保持部とを有する本体と、フィルター網とフィルター網を保持するフィルターフレームを有するフィルターとで構成される換気グリルであって、前記フィルター保持部は内面に複数の凸部を有し、前記フィルターフレームは外周に凹部を有した外周枠を設けた、という構成を有する。これにより、フィルターフレームの外周の凹部とフィルター保持部の内面の凸部と勘合することとなるので、長期間換気装置を運転しても換気グリルのフィルターの目詰まりしにくくすることができる、という効果を奏する。
【００１２】
また、前記外周枠の前記凹部より根元側に穴を設けた、という構成にしてもよい。これにより、穴の面積の分だけ外周枠の面積が減少し、前記外周枠の根元部に働く応力が大きくなることとなるので、本体とフィルターとの着脱が容易にすることができる、という効果を奏する。
【００１３】
また、前記外周枠に複数のスリットを設けた、という構成にしてもよい。これにより、スリットが変形代となり外周枠が変形することとなるので、本体とフィルターとの着脱がより容易にすることができる、という効果を奏する。
【００１４】
また、前記フィルター保持部より前記通風管側に前記凸部よりも中心側に長いフィルター止め凸部を設けた、という構成にしてもよい。これにより、フィルターがフィルター止め凸部に接触してフィルター止め凸部より通風管側に進まないこととなるので、フィルターを本体に不適正な位置に設置することを防止することができる、という効果を奏する。
【００１５】
また、前記フィルターフレームに室内側に突出する取っ手部を設け、前記取っ手部は向かい合った板で前記板の両端に近づくほど互いの距離が離れる曲面形状である、という構成にしてもよい。これにより、指と取っ手部とが密着することとなるので、本体とフィルターとの着脱が適切な力で容易にすることができる、という効果を奏する。
【００１６】
また、前記室内側の前記フィルターフレームを十字形状とする、という構成にしてもよい。これにより、力がかかる点とフィルターフレームとの距離を短くしてフィルター網にかかるトルクを小さくすることとなるので、フィルター網の破れを防止することができる、という効果を奏する。
【００１７】
また、前記フランジ部から前記凸部までの距離と前記凹部から前記フィルター網までの距離がほぼ等しい、という構成にしてもよい。これにより、凸部に凹部を勘合させることとなるので、フィルターの清掃を容易にすることができる、という効果を奏する。
【００１８】
また、前記フィルターおよび前記フィルター保持部とが円形状である、という構成にしてもよい。これにより、円形状のフィルターを円形状のフィルター保持部に勘合させることとなるので、フィルターの向きに関係なくフィルターの着脱を容易にすることができる、という効果を奏する。
【００１９】
また、前記本体の内部に螺旋状に凸部を設け、前記凹部を螺旋形状の設けた、という構成にしてもよい。これにより、螺旋状に設けた凸部に螺旋形状の凹部を勘合させることとなるので、本体からフィルターが落下しにくくすることができる、という効果を奏する。
【００２０】
以下、本発明の実施の形態について図面を参照しながら説明する。
【００２１】
（実施の形態１）
図１〜図４に示すように、本体１の一方には給気または排気の通風路を形成するダクトである通風管２に装着される筒部３を設け、他方には壁４に沿って外方に向かい突出するフランジ部５を設け、筒部３とフランジ部５との間には換気口６を設け、換気口６のフランジ部５の付近には内面に中心に向って突出する複数の凸部７を有するフィルター保持部８を設け、本体１に装着されるフィルター９にはフィルター網１０とフィルター網１０を保持するフィルターフレーム１１とを設け、フィルターフレーム１１の外周にはフィルター９の中心に向って凹んだ凹部１２を有する外周枠１３を設ける。
【００２２】
上記構成とすることにより、外周枠１３の凹部１２にフィルター保持部８の凸部７を勘合させることによってフィルター９を本体１に保持し、フィルター９を保持する構造をフィルター９の外周と本体１の内面との間に設けることで、フィルター９を保持する構造を風路に設けなくても良いので、フィルター９を保持する構造のためにフィルター網１０の面積が狭くなる事を防ぐことができる。
【００２３】
よって、フィルター網１０の面積を広くすることが可能となり、これによって、換気グリルのフィルター網１０が塵や埃等による目詰まりがしにくくなる。
【００２４】
また、外周枠１３を円形状ではなく複数の円弧形状となるようにスリット１４を、好ましくは４箇所以上設け、外周枠１３の凹部１２よりも室内１５側に穴１６を設けてもよい。
【００２５】
これにより、スリット１４および穴１６の体積分だけ材料費を安くすることができるとともに、スリット１４を変形代とすることで外周枠１３は容易に中心側に変形することができ、穴１６によって外周枠１３に少し力を加えただけでも外周枠１３の根元部には大きな応力が働くことになり、外周枠１３はより容易に中心側へ変形しやすくなる。
【００２６】
これにより、フィルター９を本体１から容易に着脱することができる。
【００２７】
また、換気口６の内面のフィルター保持部８よりも通風管２側に凸部７よりも中心側に長いフィルター止め凸部１７を、好ましくは２箇所以上に設ける。
【００２８】
これにより、凸部７と凹部１２が勘合した状態から通風管２側に押し込まれたとしても、フィルター９とフィルター止め凸部１７が接触して、フィルター９はフィルター止め凸部１７よりも通風管２側に進むことがなくなるため、フィルター９をフィルター保持部８よりも通風管２側に設置して、フィルター９を取り外すことが困難になるということを防止することができる。
【００２９】
また、フィルターフレーム１１の室内１５側を十字形状として、中心部に室内１５側に突出する取っ手１８を設ける。
【００３０】
なお、取っ手１８は向かい合った１対の板であり、板の中心であるほど互いの距離が近づき、板の両端に近づくほど互いの距離が離れる曲面形状である。
【００３１】
また、フィルターフレーム１１を十字形状とすることで、フィルター網１０に力を加えられたとしてもフィルター網１０の力を加えられた点とフィルターフレーム１１までの距離が短くなり、フィルター網１０にかかるトルクは小さくなるため、フィルター網１０を破れにくくする。
【００３２】
そして、取っ手１８は曲面形状を設けることによって、指と取っ手１８が密着することになるため、指と取っ手１８の接触面積が増え均等に取っ手１８に力が伝わり本体１とフィルター９の着脱をより容易行うことができるとともに、取っ手１８に大きな力をかけすぎても、取っ手１８は曲面形状と応力の集中を防ぐことで壊れにくくなる。
【００３３】
また、フィルター網１０をフィルターフレーム１１の室内１５の近くに配置し、フランジ部５から凸部７までの距離と凹部１２からフィルター網１０までの距離をほぼ等しくする。
【００３４】
これによって、凸部７を凹部１２に勘合させた時に、フィルター網１０とフランジ部５とは室内１５側から見たときの表面がほぼ同一平面状に配置されることになる。
【００３５】
これにより、フィルター網１０が本体１のほぼ表面に配置されることになり、フィルター９を本体１に取り付けたままでもフィルター網１０の表面に付着した塵や埃等を拭き取ったり掃除機で吸い取ったりという清掃を容易にすることができるとともに、フィルター９が本体１よりも室内１５側に突出して、意匠性が悪くなるということも防ぐことが可能となる。
【００３６】
また、フィルター９およびフィルター保持部８を円形状にする。すなわち、換気口６を円形状にするということである。
【００３７】
これにより、円形状のフィルター９を円形状のフィルター保持部８に勘合させることになるため、フィルター９の向きに関係なくフィルター９の着脱を容易に行うことができる。
【００３８】
また、図５および図６に示すように、凸部７をフィルター保持部８に螺旋状に配置し、凹部１２も螺旋形状にすることにより、フィルター保持部８にめねじ構造を設け、外周枠１３におねじ構造を設けることで、螺旋状に設けた凸部７と螺旋形状の凹部１２を勘合させ、フィルター９を螺旋形状に沿って回転させることでフィルター９は本体１の内部に取付けられることとなるため、外周枠１３が変形しなくても本体１とフィルター９の着脱が可能となる。
【００３９】
さらに、スリット１４や穴１６を抹消して外周枠１３を変形しにし、フィルター９を回転することでのみ本体１から着脱可能とすることで、フィルター９が本体１から落下しにくくなるという効果を奏する。
【産業上の利用可能性】
【００４０】
本発明にかかる換気グリルは、長期間換気装置を運転しても換気グリルのフィルターの目詰まりしにくくすることができることを可能とするものであるので、換気扇等のルーバー等としても有用である。
【符号の説明】
【００４１】
１  本体
２  通風管
３  筒部
４  壁
５  フランジ部
６  換気口
７  凸部
８  フィルター保持部
９  フィルター
１０  フィルター網
１１  フィルターフレーム
１２  凹部
１３  外周枠
１４  スリット
１５  室内
１６  穴
１７  フィルター止め凸部
１８  取っ手
【図１】
2015113988.tif 000003
【図２】
2015113988.tif 000004
【図３】
2015113988.tif 000005
【図４】
2015113988.tif 000006
【図５】
2015113988.tif 000007
【図６】
2015113988.tif 000008
【図７】
2015113988.tif 000009